(57)【要約】【課題】  服・体に付着した花粉・埃・菌を除去する装置を提供することを目的とする。【解決手段】  本体１に設けたカーテン１５の中に風吹き出し口８からの風で体に付着した花粉を吹き払い、吹き払った風を風吸い込み口９から吸い込み、フィルター室３のフィルターでろ過し、送風機で再度風吹き出し口８から風を体に吹き付ける。又、オゾン発生器１４により殺菌・脱臭も行う。【選択図】図３
0003155593.tif 000002
【実用新案登録請求の範囲】
【請求項１】
本体上部の天板に、ハンガー掛けを回転させる回転モーターとカーテン用のカーテンレールを設け、本体下部には転倒防止の床板と風を吸い込む吸い込み口を設け、本体正面パネルに風吹き出し口とフィルター室を備え、正面パネル上部には殺菌用のオゾン発生器とスイッチ、タイマーで構成した服類の花粉・菌・除去装置。
【請求項２】
ハンガーにピン受けの付いたハンガー受け枠を設け、又ハンガー掛けにピンを備えた請求項１記載の服類の花粉・菌・除去装置。
【請求項３】
本体正面パネルに縦方向に、風吹き出し口を複数設けた請求項１記載の服類の花粉・菌・除去装置。
【請求項４】
本体正面パネル上部に殺菌・脱臭のためのオゾン発生器を設けた請求項１記載の服類の花粉・菌・除去装置。
【請求項５】
風吸い込み口からの風をろ過するためのフィルター室を設けた請求項１記載の服類の花粉・菌・除去装置。
【請求項６】
風をろ過するフィルターのフィルターつばを差し込むフィルター枠とフィルターつばを固定する為のフィルター押さえを備えた請求項１・５記載の服類の花粉・菌・除去装置。
【請求項７】
風吹き出し口からの風を集める風集め管とその風を靴に送る風ホースを備えた請求項１記載の服類の花粉・菌・除去装置。
【請求項８】
風集め管を正面パネルに取り付ける為のマグネットとマグネット受けを設けた請求項１・７記載の服類の花粉・菌・除去装置。
【請求項９】
風が外に漏れないようにカーテンレールに組付けるカーテンを備えた請求項１記載の服類の花粉・菌・除去装置。
【考案の詳細な説明】
【技術分野】
【０００１】    本考案は、服・体・靴に付着した花粉・臭・菌・埃を除去する装置に関するものである。
【背景技術】
【０００２】  出願番号２００１−１９９０５７のように洋服タンスに風を送りこみ湿気を無くすことをする。
又、タンスの中に脱臭剤を置いて脱臭している。
出願番号平９−１５１５９３のように防虫剤やドライクリーニングの溶剤の微粒子から発生するガスを脱臭する装置は考案されている。又、ＩＣ工場など埃をきらう工場では大型の無塵室の中に入り埃を除去し、パチンコ店の中にも脱臭用の室を設けてある。【０００３】  現状の脱臭は、タンスの中に入れる脱臭剤で脱臭するか、菌・花粉・埃は服を叩いて落とすか、ドライヤーで吹き飛ばしていた。又、ＩＣ工場やパチンコ店など大掛かりな装置による脱臭・除菌はある。
【考案の開示】
【考案が解決しようとする課題】
【０００４】  しかしながら、このような方法では一般の家庭では服の花粉・埃・臭・菌の除去を一度に行うことはむずかしい。【０００５】  本考案は服・体に付着した花粉・埃・臭・菌を家庭内で一度に処理する装置を提供することにある。
【課題を解決するための手段】
【０００６】  上記目的を達成する本考案を説明すると、本体上部の天板にハンガー掛けを回転させる回転モーターとカーテン用のカーテンレールを設け、本体下部には転倒防止の床板と風を吸い込む風吸い込み口を設け、又本体正面パネルに風吹き出し口とフィルター室を備え、正面パネル上部には殺菌用オゾン発生器とスイッチ・タイマー等で構成したものである。【０００７】  この手段により、構造が簡単で服・体・靴の花粉・埃・臭・菌の除去が効率よくできる服類の花粉・菌・除去装置が得られる。【０００８】  また、ハンガーにピン受けを設けたハンガー受け枠を備えハンガー掛けにピンを設ける。【０００９】  この手段により、ハンガーをハンガー掛けに素早く設置し強い風やねじれでも外れることのない服類の花粉・菌・除去装置が得られる。【００１０】  また本体正面パネルに縦方向に風吹き出し口を多数設ける。【００１１】  この手段により、人が正面パネルの前に立って風吹き出し口から出る風で全身を斑無く吹き付け、花粉・埃類を取り除くことができる服類の花粉・菌・除去装置が得られる。【００１２】  また、本体正面パネル上部に殺菌脱臭用のオゾン発生器を設けたものである。【００１３】  この手段により、オゾンが風吹き出し口からの風で流され、服・体全体に行渡り、付着した菌・臭を斑無く除去することができる服類の花粉・菌・除去装置を得られる。【００１４】  また風吸い込み口からの風をろ過する為のフィルター室を設けたものである。【００１５】  この手段により、吸い込んだ風をフィルターでろ過することで、同じ風を循環させることができる。その為、カーテンの外側へ風が流れ出て行き外の空気を汚すこともなく、ろ過したきれいな風を服・体に吹き付けることができる服類の花粉・菌・除去装置が得られる。【００１６】  また風をろ過するフィルターのフィルターつばを差し込むフィルター枠とフィルターつばを固定するためのフィルター押さえとを備えたものである。【００１７】  この手段により、フィルターをフィルター室に装着し易く、尚、フィルターつばをフィルター枠に差し込んだ際、風の漏れがないようにフィルターつばとフィルター枠の空いた部分にフィルター押さえで完全密閉させる。それにより、花粉・埃がフィルターから後の送風管に行かないようにした服類の花粉・菌・除去装置を得られる。【００１８】  また、風吹き出し口から風を集める風集め管とその集めた風を靴に送る風ホースを備えたものである。【００１９】  この手段により、風吹き出し口からの風を靴の中に効率よく入れることができる。又別に風取り出し用のバルブを設ける必要が無い服類の花粉・菌・除去装置を得られる。【００２０】  また、風集め管を正面パネルに取り付ける為のマグネットを風集め管に、マグネット受けを正面パネルに設けたものである。【００２１】  この手段により、風集め管を正面パネルの風吹き出し口部分に素早く装着することができる服類の花粉・菌・除去装置を得られる。【００２２】  また、風が外に漏れないようにカーテンレールに付けたカーテンを備えたものである。【００２３】  この手段により、風吹き出し口からの風がカーテン外側に出ることなく風吸い込み口へと流れていく服類の花粉・菌・除去装置を得られる。
【考案の効果】
【００２４】  本考案によれば、構造が縦長に製作できるので部屋の隅や玄関に簡単に置くことができるという効果のある服類の花粉・菌・除去装置を提供できる。【００２５】  また、ハンガーの型を変えることで、毛布やカバー等の花粉・埃・ダニなどを取り除く効果のある服類の花粉・菌・除去装置を提供できる。【００２６】  また、本体正面パネルの風吹き出し口の前に立ち体を回転させることで、背中側も、足を上げることで靴も、頭を下げることで髪にも風を当て、花粉・埃を取り除く効果のある服類の花粉・菌・除去装置を提供することができる。【００２７】  またオゾンは、殺菌・脱臭能力があるため、風と一緒に服・毛布・靴・体の奥まで届き大きな効果を得る服類の花粉・菌・除去装置を提供することができる。【００２８】  また、風集め管で集めた風を長靴の中にオゾンと一緒に送り込むことで、中の菌・埃・湿気を取るという効果のある服類の花粉・菌・除去装置を提供することができる。【００２９】  また、風集め管を正面パネルに素早く設置できる効果のある服類の花粉・菌・除去装置を提供することができる。【００３０】  また、カーテンを片方に仕舞うことで部屋を広く利用し圧迫感を減らすことができる効果のある服類の花粉・菌・除去装置を提供することができる。
【考案を実施するための最良の形態】
【００３１】  本考案の請求項１記載の考案は、図１・２記載の本体１の上部にハンガー４０を掛けるハンガー掛け１７と、ハンガー掛け１７を回転させる回転モーター１１とカーテン１５を取り付けるカーテンレール１６からなる天板１０を設け、本体１の下部には本体１を支える床板３４と吹き出した風を吸い込む風吸い込み口９を設け、正面パネル２にはフィルター室３用のフィルター室扉４と風を吹き出す風吹き出し口８とオゾンを出すオゾン発生器１４と作動時間を調整するタイマー１３とオゾン発生器１４・回転モーター１１・送風機５用のスイッチを設け効率よく除去できる作用を有する。【００３２】  また、請求項２記載の考案は、図２・４・１０記載のハンガー３７にピン受け３９を備えたハンガー受枠３８を設けてある。また、回転モーター１１と連結したハンガー掛け１７にはピン１８を設けてある。それによりハンガー受枠３８をハンガー掛け１７に素早く掛けられ、回転によるねじれにも強く落下しない構造を有する。【００３３】  また、請求項３記載の考案は、図１・２・３・４記載の風吹き出し口８は本体１の正面パネル２に上側から下側の縦方向に穴を多数空け、服や体の上から下まで送風できることとなり、斑無く花粉類を除くことができる構造を有する。【００３４】  また、請求項４記載の考案は、図１・２記載のオゾン発生器１４を正面パネル２の上部に設ける。それにより、吹き出した風と一緒に上側から下側、風吸い込み口９へと流れて行き服・体に効率よく殺菌・脱臭する作用を有する。【００３５】  また、請求項５記載の考案は、図１・２・６・８記載のフィルター室３を風吸い込み口９と送風機５の中間に設ける。又、フィルター１９を交換するためのフィルター室扉４を正面パネル２に設ける。それにより素早く交換できる作用を有する。【００３６】  また、請求項６記載の考案は、図２・６・７・８記載の箱型のフィルター室３に送風管Ａ２４と送風管Ｂ２５とフィルターつば枠２１を設ける。又、フィルター室３は正面パネル２裏側に取り付ける。又、正面パネル２の表側にフィルター室扉４を蝶番２３で固定する。尚、フィルター１９のフィルターつば２０をフィルターつば枠２１の溝に押し入れ、その後フィルター押さえ２２を押し入れ、フィルター１９とフィルターつば枠２１とフィルター押さえ２２で密着させる。それにより送風管Ｂ２５に出て行く風に埃や花粉が行かないようにし、きれいな風を作り出す性能を有する。【００３７】  また、請求項７・８記載の考案は、図５・９記載の１面の無い箱型の風集め管３５の両端にマグネット３１を取り付ける。そのマグネット付の風集め管３５を風吹き出し管７からの風吹き出し口８と同じ列の正面パネル２に設けたマグネット受け３２に１面の無い部分を付ける。尚、その風集め管３５の中に集めた風を風ホース３６で靴２９の中へと送り込む。それにより靴の中の菌や湿気を無くす作用を有する。【００３８】  また、請求項９記載の考案は、図２記載のカーテン１５は本体１上部の天板１０に設けたカーテンレール１６に取り付け、風吹き出し口８から出た風を吹き散らかすことなく風吸い込み口９へと流れを作り出す。又、使用しない際は、カーテン１５を片方に寄せ、この装置の占用面積を小さく��ることができる作用を有する。
【産業上の利用可能性】
【００３９】  以上説明したように、外出先から帰ったらこの装置の中に入り、服・靴・髪に付いた花粉・埃・菌・ダニからくる病気を防ぐことができる。
【図面の簡単な説明】
【００４０】
【図１】  外側から見た本体正面・側面・平面図
【図２】  内部を見た正面・側面・平面図
【図３】  人の全身除去状況
【図４】  服の除去状況
【図５】  靴の除去状況
【図６】  フィルター室フィルター設置状況
【図７】  フィルター正面・側面図
【図８】  風集め治具正面図設置状況
【図９】  ハンガー・ハンガー掛け図
【符号の説明】
【００４１】      １  本体                          ２１  フィルターつば枠
２  正面パネル                    ２２  フィルター押さえ
３  フィルター室                  ２３  蝶番
４  フィルター室扉                ２４  送風管Ａ
５  送風機                        ２５  送風管Ｂ
６  送風管                        ２６  取っ手
７  風吹き出し管                  ２７  フィルター孔
８  風吹き出し口                  ２８  服
９  風吸い込み口                  ２９  靴
１０  天板                          ３０  ハンガー
１１  回転モーター                  ３１  マグネット
１２  スイッチ                      ３２  マグネット受け
１３  タイマー                      ３３  ホースジョイント
１４  オゾン発生器                  ３４  床板
１５  カーテン                      ３５  風集め管
１６  カーテンレール                ３６  風ホース
１７  ハンガー掛け                  ３７  ハンガー受け
１８  ピン                          ３８  ピン受け
１９  フィルター
２０  フィルターつば
【図１】
0003155593.tif 000003
【図２】
0003155593.tif 000004
【図３】
0003155593.tif 000005
【図４】
0003155593.tif 000006
【図５】
0003155593.tif 000007
【図６】
0003155593.tif 000008
【図７】
0003155593.tif 000009
【図８】
0003155593.tif 000010
【図９】
0003155593.tif 000011
【図１０】
0003155593.tif 000012
【手続補正書】
【提出日】平成21年8月26日(2009.8.26)
【手続補正１】
【補正対象書類名】実用新案登録請求の範囲
【補正対象項目名】全文
【補正方法】変更
【補正の内容】
【実用新案登録請求の範囲】
【請求項１】
本体上部の天板に、ハンガー掛けを回転させる回転モーターとカーテン用のカーテンレールを設け、本体下部には転倒防止の床板と風を吸い込む吸い込み口を設け、本体正面パネルに風吹き出し口とフィルター室を備え、正面パネル上部には殺菌用のオゾン発生器とスイッチ、タイマーで構成した服類の花粉・菌・除去装置。
【請求項２】
ハンガーにピン受けの付いたハンガー受け枠を設け、又ハンガー掛けにピンを備えた請求項１記載の服類の花粉・菌・除去装置。
【請求項３】
本体正面パネルに縦方向に、風吹き出し口を複数設けた請求項１記載の服類の花粉・菌・除去装置。
【請求項４】
本体正面パネル上部に殺菌・脱臭のためのオゾン発生器を設けた請求項１記載の服類の花粉・菌・除去装置。
【請求項５】
風吸い込み口からの風をろ過するためのフィルター室を設けた請求項１記載の服類の花粉・菌・除去装置。
【請求項６】
風をろ過するフィルターのフィルターつばを差し込むフィルター枠とフィルターつばを固定する為のフィルター押さえを備えた請求項５記載の服類の花粉・菌・除去装置。
【請求項７】
風吹き出し口からの風を集める風集め管とその風を靴に送る風ホースを備えた請求項１記載の服類の花粉・菌・除去装置。
【請求項８】
風集め管を正面パネルに取り付ける為のマグネットとマグネット受けを設けた請求項７記載の服類の花粉・菌・除去装置。
【請求項９】
風が外に漏れないようにカーテンレールに組付けるカーテンを備えた請求項１記載の服類の花粉・菌・除去装置。
【手続補正２】
【補正対象書類名】明細書
【補正対象項目名】００４０
【補正方法】変更
【補正の内容】
【００４０】
【図１】  外側から見た本体正面・側面・平面図
【図２】  内部を見た正面・側面・平面図
【図３】  人の全身除去状況
【図４】  服の除去状況
【図５】  靴の除去状況
【図６】  フィルター室フィルター正面・側面図
【図７】  フィルター設置状況Ａ図・Ｂ図
【図８】  フィルター正面・側面図
【図９】  風集め治具正面図設置状況
【図１０】  ハンガー・ハンガー掛け図
【手続補正３】
【補正対象書類名】図面
【補正対象項目名】図６
【補正方法】変更
【補正の内容】
【図６】
0003155593.tif 000013